(57)【要約】      （修正有）【課題】転写テープの種類に応じて転写部を用意した場合に、製造時の組み立てにおいて付け間違えが生じやすい点を解消する。【解決手段】転写具１は、転写部５の転写テープが架け回される先端部５Ａを筐体４に設けるための接続部５Ｂと、筐体４の接続部５Ｂが取り付けられる取付部４Ａとによって形成され、転写テープの種類と転写部５の種類とを適合させる適合部６を備えることとした。【選択図】図１
0003138683.tif 000002
【実用新案登録請求の範囲】
【請求項１】
基材に転写媒体が塗布された転写テープを巻装した送出コアと、この送出コアから送り出された転写テープの前記基材を巻き取る巻取コアと、被転写体に前記転写媒体を転写する転写部と、を筐体に設けた転写具であって、前記転写部に有する、転写テープが架け回される先端部を前記筐体に設けるための接続部と、前記筐体に有する、前記接続部が取り付けられる取付部と、によって形成された、転写テープの種類と前記転写部の種類とを適合させる適合部を備えたことを特徴とする転写具。
【請求項２】
適合部の、取付部における接続部との取付位置が、転写テープの種類に応じて可変であることを特徴とする請求項１記載の転写具。
【考案の詳細な説明】
【技術分野】
【０００１】
本考案は、製造工程時の組み立て作業において、転写テープの種類に応じた転写部を筐体に誤ることなく確実に取り付けることができる転写具に関する。
【背景技術】
【０００２】
基材に転写媒体を塗布した転写テープを巻装した送出コア、及び被転写体に転写媒体を転写した後の基材を巻き取る巻取コアを各々筐体に備えると共に、筐体から一部露出した状態で転写媒体を被転写体に転写するための転写部を有した転写具に用いられる転写媒体としては、例えば粘着タイプ、修正タイプ、マーカータイプなどの転写媒体の用途の種類、及び例えば転写媒体の幅の種類が存在する。以下、転写媒体の用途、転写媒体の幅、を総称すると共に、転写媒体が基材に塗布されて一体の状態で製造工程に供されることから「転写テープの種類」と言うこととする。
【０００３】
この種の転写具は、上記した転写テープの種類、例えば以下の特許文献１，２のように用途の種類に応じて、舌状やローラ状とされた転写部を用意する必要がある。また、こうした舌状やローラ状の転写部においても、さらに、上記した転写テープの幅に応じた転写部を各々用意する必要がある。
【特許文献１】特開昭６１−５７３７０号公報
【特許文献２】特開平８−１５６４９７号公報
【考案の開示】
【考案が解決しようとする課題】
【０００４】
特許文献１，２を含めた従来の構成では、製造工程において、転写テープの種類に応じて用意された複数種の転写部が用意され、筐体に対応させて取り付ける必要があった。特に転写テープの幅の種類が変わった際には、転写テープの用途の種類の他に幅に応じた転写部を選択して組み立てなければ、適正に転写できない製品となり、製品として成り立たないことになる。ゆえに、付け間違えが生じた状態で出荷することは、信用上、許されるものではない。
【０００５】
かくして、組み立て作業者は、付け間違えの無いように十分な配慮を強いられるが、実際には、例えば４ｍｍ幅と５ｍｍ幅の転写部の違いは一見して見分けが付かず、非常に間違え易いといった問題があった。
【０００６】
例えば５ｍｍ幅の転写テープを使用する場合において、４ｍｍ幅の転写部を付けた転写具を使用すると該転写テープの幅方向両端が折れ曲がったり搬送不良が生じ、一方、６ｍｍ幅の転写部を付けた転写具を使用すると該転写テープが転写部上で自由に移動して蛇行状に転写してしまい使い勝手が非常に悪いものとなる。
【０００７】
ちなみに、例えば粘着タイプの転写媒体を有した転写テープに対して、舌状の転写部が用いられると、転写時に転写部への力のかかり具合が強すぎるため、転写された粘着層が不均一となったり、被転写体から転写具を離す時に著しい粘着層の延び（糸を引いた様な状態）が生じて余分なところまで粘着層が付着してしまうといった不具合が生じる。一方、例えば修正タイプの転写媒体を有した転写テープに対して、ローラ状の転写部が用いられると、転写時に転写部への力のかかり具合が不足するため、該転写部のローラ状部分では十分に被転写体に転写媒体を転写できなかったり、すぐ被転写体から剥がれてしまうといった不具合が生じる。
【０００８】
本考案が解決しようとする問題は、特許文献１，２を含めて従来の転写テープの種類に応じて転写部を用意して、作業者の見た目の配慮だけで組み立てが行われるような構成であると、製造工程時の組み立て時に付け間違えが生じやすいという点である。
【課題を解決するための手段】
【０００９】
本考案の転写具は、上記問題を解消するために、転写部に有する、転写テープが架け回される先端部を筐体に設けるための接続部と、筐体に有する、接続部が取り付けられる取付部と、によって形成された、転写テープの種類と前記転写部の種類と適合させる適合部を備えたものである。
【考案の効果】
【００１０】
上記構成の本考案に係る転写具は、適合部により、転写テープの種類に応じて用意された数種の転写部を、同じく転写テープの種類に応じて用意された筐体に取り付ける際に、正しい組み合わせでなければ、組み立てができなくなる。
【００１１】
すなわち、転写部の接続部と、筐体の取付部と、の各々は、転写テープ種類に応じてそれぞれ組み合わせが適合しなければ正しく取り付けることができない形状とされて適合部をなしている。したがって、例えば４ｍｍ幅の粘着タイプの転写媒体用に用意された転写部（ローラ状）を、６ｍｍ幅の修正タイプの転写媒体用に用意された筐体に取り付けようとしても前記接続部と前記取付部との取付形状が合わず、正しく取り付けることができないこととなる。
【００１２】
これにより、組み立て工程において、筐体に転写部を取り付ける際には、特段の注意を払う必要なく、正しく取り付けられなければ間違った組み合わせであることが判断でき、また、正しく組み立てられたものは取り付け間違いのない正常な製品として出荷できることとなる。
【考案を実施するための最良の形態】
【００１３】
本考案は、図１〜図５に示す以下の構成により実施可能である。図１〜図３は本考案の転写具の第１形態を、図４及び図５は本考案の第２形態を、各々示す。なお、第２形態では、第１形態と異なる構成について説明し、共通する構成の説明は省略する。
【００１４】
（第１形態）
本考案の転写具１は、次の構成とされる。まず、概略構成として、転写具１は、転写媒体が基材に塗布された転写テープＰを巻装した送出コア２と、この送出コア２から送り出された転写テープＰのうち被転写体に転写媒体を転写した後の基材を巻き取る巻取コア３と、これら送出コア２と巻取コア３とを連動駆動すべく各々と同軸で設けられたギア２Ａとギヤ３Ａが筐体４に設けられており、さらに、転写具１は、転写媒体を被転写体に転写すると共に、このときの動作により転写テープＰを巻取コア２から送出コア３へと搬送する転写部５を有している。
【００１５】
本考案において、筐体４は、転写テープＰの転写面と直交する方向で２分割されており、その一方側の内壁面の該転写部５を露出するための開口近傍には、転写部５が取り付けられる取付部４Ａが形成されている。なお、筐体４の他方側における一方側の取付部４Ａに対応する箇所には、一方側と他方側とを一体に組み立てた際に例えば該取付部４Ａ周辺を押さえる押さえ部（図示無）が形成されている。
【００１６】
本考案の転写具１の特徴構成について以下、詳細に説明する。取付部４Ａは、本形態では、例えば筐体４の内壁面と直交する方向に立設した軸状とされ、この軸周面における一部には、拡径した凸部４Ａａが軸方向に形成されている。
【００１７】
一方、転写部５は、転写テープＰが架け回される先端部５Ａと、筐体４に設けるための接続部５Ｂと、該先端部５Ａを該接続部５Ｂで支持するための支持部５Ｃと、を有する。前記接続部５Ｂは、本形態においては、例えば上記取付部４Ａが内嵌される筒状とされ、該筒状の内周面の一部において、前記凸部４Ａａに対応する凹部５Ｂａが軸方向に形成されている。
【００１８】
ここで、本考案の転写具１は、筐体４の取付部４Ａと、転写部５の接続部５Ｂにより適合部６が構成されている。すなわち、取付部４Ａの凸部４Ａａが形成された位置は、転写テープＰの幅に応じた筐体４毎に異ならせており、一方、転写部５の凹部５Ｂａが形成された位置も、転写テープＰの幅毎に異ならせた位置に形成された凸部４Ａａに対応した位置とされている。
【００１９】
したがって、本形態の転写具１は、転写テープＰの幅の種類分、例えば・・・４ｍｍ幅、５ｍｍ幅、６ｍｍ幅・・・の筐体４がそれぞれ用意され、転写部５もその種類分だけ用意され、これら筐体４と転写部５とを転写テープＰの幅の正しい組み合わせとしたうえで、組み立てて作成される。
【００２０】
上記組み立て時において、適合部６は、次のように機能する。図２及び図３に示す状態は、４ｍｍ（図２）、５ｍｍ（図３）幅の転写テープＰが用いられる筐体４に、転写部５を取り付ける場合を示す。筐体４において、凸部４Ａａは、正しい組み合わせの転写部５を取り付けた場合における支持部５Ｃと直交する方向に対して、紙面時計回りを正方向とした場合、例えば図２（ａ）のように略−４５°、例えば図３（ａ）のように＋４５°の位置に形成されている。
【００２１】
一方、転写部５おいて、凹部５Ｂａは、上記凸部４Ａａの位置に対応して、同様に支持部５Ｃと直交する方向に対して、４ｍｍ幅の転写テープＰ用の転写部５は−４５°の位置に、５ｍｍ幅の転写テープＰ用の転写部５は＋４５°の位置に、形成されている。
【００２２】
図２（ａ）及び図３（ａ）に示すように、４ｍｍ幅、５ｍｍ幅の転写テープＰが用いられる筐体４に対して正しい組み合わせで転写部５が取り付けられると、先端部５Ａが通常の正しい箇所に位置し、これにより、筐体４の分割された一方側に対して他方側を閉めて一体化することができる。
【００２３】
ここで、図２（ｂ）に示すように４ｍｍ幅の転写テープＰ用の筐体４に５ｍｍ幅の転写部５が、また、図３（ｂ）に示すように５ｍｍ幅の転写テープＰ用の筐体４に４ｍｍ幅の転写部５が、それぞれ取り付けられると、先端部５Ａが明らかに通常の正しい箇所とは異なる箇所に位置し、この時点で筐体４と転写部５との組み合わせの誤りが判断できる。
【００２４】
さらに、例え上記した転写部５の先端部５Ａの位置に基づく誤りを見過ごしたとしても、筐体４の筐体４の分割された一方側に対して他方側を閉めて一体化することができず、この工程より先の組み立てが不能となるから確実に筐体４と転写部５との組み合わせの誤りが判断できる。
【００２５】
（第２形態）
図４及び図５に示す第２形態は、適合部６が、図４（ａ）に示すように転写部５側においては凸部５Ｂｂが、図４（ｂ）に示すように筐体４側においては凹部４Ａｂが、各々形成されており、また、凹部４Ａｂが形成された取付部４Ａが、転写テープの種類に応じて回転して可変とされている点が第１形態とは異なる。
【００２６】
転写部５は、第１形態と同様、図５（ａ）（ｃ）（ｅ）に示すように、順に転写テープＰの例えば４ｍｍ、５ｍｍ、６ｍｍ幅に応じて用意されている。ここで、第２形態の取付部４Ａは、用いられる転写テープＰの幅に応じて図５（ｂ）（ｄ）（ｆ）に示すように凹部４Ａｂの位置を変えるべく回転可能とされている。
【００２７】
第２形態においても、転写部５と筐体４（用いられる転写テープＰの幅）との組み合わせが間違っていれば、先端部５Ａが異常な箇所に位置すること、及び図５に示す場合では転写部５を取り付けようとしても、該転写部５が筐体４に引っかかったり当接して取り付けすらできないこと、から明らかに組み合わせが異常であることが判断できる。
【００２８】
さらに、第２形態の転写具１であれば、転写テープＰの幅に応じて、その幅の転写部５の凸部５Ｂｂに応じた位置へ、取付部４Ａを回転させることができるから、筐体４自体は転写テープＰの幅に応じた種類を用意する必要がなくなり、部材の共用化ができ、製造コストを削減することができる。
【００２９】
なお、以上の形態では、適合部６によって転写部５を筐体４に適正に取り付ける際には、転写テープＰの幅毎に用意される転写部５が取り付けられる場合に採用したが、これに限らず、転写テープＰの用途毎に用意される転写部５が取り付けられる場合、及び舌状、ローラ状、の転写部５においてさらに転写テープＰの幅毎に用意される転写具５が取り付けられる場合、に採用されても構わない。また、転写テープＰの幅や、適合部６における凸部４Ａａ、凹部４Ａｂ、凹部５Ｂａ、凸部５Ｂｂの角度や形状は上記に限定しないほか、凸と凹の関係が逆であっても構わない。
【図面の簡単な説明】
【００３０】
【図１】本考案の第１形態における転写具の概略構成を示す図である。
【図２】本考案の第１形態における転写具の筐体に転写部を取り付ける状況を示し、（ａ）は正しい転写部が取り付けられた状態、（ｂ）は誤った転写部が取り付けられた状態、を各々示す図である。
【図３】本考案の第１形態における転写具の筐体に転写部を取り付ける状況を示し、（ａ）は正しい転写部が取り付けられた状態、（ｂ）は誤った転写部が取り付けられた状態、を各々示す図である。
【図４】本考案の第２形態における転写具の要部構成を示し、（ａ）は転写部を、（ｂ）は取付部を、各々示す図である。
【図５】本考案の第２形態における転写具の要部構成を示し、（ａ）（ｃ）（ｅ）はは転写部を、（ｂ）（ｄ）（ｆ）は取付部を、各々示す図である。
【符号の説明】
【００３１】
１  転写具
４  筐体
４Ａ  取付部
４Ａａ  凸部
４Ａｂ  凹部
５  転写部
５Ａ  先端部
５Ｂ  取付部
５Ｂａ  凹部
５Ｂｂ  凸部
６  適合部
【図１】
0003138683.tif 000003
【図２】
0003138683.tif 000004
【図３】
0003138683.tif 000005
【図４】
0003138683.tif 000006
【図５】
0003138683.tif 000007